(57)【要約】【課題】光源部を有する器具本体が天井に対する姿勢を変更できるように構成されていたとしても、安定した赤外線通信を行うことができる照明器具を提供する。【解決手段】天井埋込型の照明器具１であって、天井２の開口部２ａに埋め込み配設される灯具ユニット１００と、照明器具１を制御するための赤外線信号を受信する赤外線通信モジュール１０１とを備え、灯具ユニット１００は、光源部１１１を有する器具本体１１０と、器具本体１１０を保持し、天井２の開口部２ａに取り付けられる枠体部１２０とを有し、器具本体１１０は、天井２に対する姿勢を変更できるように構成されており、赤外線通信モジュール１０１は、器具本体１１０の姿勢が変更されても赤外線通信モジュール１０１の位置が変わらないように灯具ユニット１００に設けられている。【選択図】図４
2019145289.tif 000002
【特許請求の範囲】
【請求項１】
天井埋込型の照明器具であって、
天井の開口部に埋め込み配設される灯具ユニットと、
前記照明器具を制御するための赤外線信号を受信する赤外線通信モジュールとを備え、
前記灯具ユニットは、光源部を有する器具本体と、前記器具本体を保持し、前記開口部に取り付けられる枠体部とを有し、
前記器具本体は、前記天井に対する姿勢を変更できるように構成されており、
前記赤外線通信モジュールは、前記器具本体の姿勢が変更されても前記赤外線通信モジュールの位置が変わらないように前記灯具ユニットに設けられている、
照明器具。
【請求項２】
前記赤外線通信モジュールは、前記枠体部に取り付けられている、
請求項１に記載の照明器具。
【請求項３】
前記赤外線通信モジュールは、前記器具本体の姿勢の変更を可能とするための姿勢変更部材に取り付けられている、
請求項１に記載の照明器具。
【請求項４】
前記枠体部は、前記器具本体に連結された回転板を有し、
前記回転板には、前記器具本体を回動させて天井面に対する姿勢を変更するためのスリットが設けられ、
前記姿勢変更部材は、前記回転板である、
請求項３に記載の照明器具。
【請求項５】
前記枠体部には、前記灯具ユニットを前記開口部に取り付けるためのバネ部材が取り付けられており、
前記赤外線通信モジュールは、前記バネ部材に取り付けられている、
請求項１に記載の照明器具。
【請求項６】
前記枠体部は、前記器具本体と隙間をあけて前記器具本体の一部を囲み、
前記赤外線通信モジュールは、前記隙間を介して赤外線信号を受信可能に前記灯具ユニットに取り付けられている、
請求項１〜５のいずれか１項に記載の照明器具。
【請求項７】
前記赤外線通信モジュールは、前記光源部よりも前記隙間に近い位置に設けられている、
請求項６に記載の照明器具。
【請求項８】
前記器具本体及び前記枠体部の少なくとも一方に、前記赤外線信号が通る貫通孔が設けられている、
請求項１〜５のいずれか１項に記載の照明器具。
【請求項９】
前記赤外線通信モジュールは、前記器具本体の姿勢が変更された際に前記器具本体と干渉しない位置に取り付けられている、
請求項１〜８のいずれか１項に記載の照明器具。
【請求項１０】
前記赤外線通信モジュールは、前記照明器具を制御するための赤外線信号として、前記照明光の照明態様を制御するための赤外線信号を受信する、
請求項１〜９のいずれか１項に記載の照明器具。
【発明の詳細な説明】
【技術分野】
【０００１】
本発明は、照明器具に関し、特に、天井の開口部に埋め込み配設される天井埋込型の照明器具に関する。
【背景技術】
【０００２】
従来、天井の開口部に埋め込み配設されるダウンライト等の天井埋込型の照明器具が知られている（例えば特許文献１）。天井埋込型の照明器具は、例えば、光源部となる光源モジュールが配置された器具本体と、器具本体を天井の開口部に保持させるための枠体部とを備える。
【０００３】
また、ダウンライトの中には、器具本体（灯具）の姿勢を変更することで光源モジュールから照射される照明光の照射方向を変更することができるユニバーサルタイプのダウンライトが知られている。
【先行技術文献】
【特許文献】
【０００４】
【特許文献１】特開２００８−３１１２３８号公報
【発明の概要】
【発明が解決しようとする課題】
【０００５】
ダウンライト等の照明器具では、照明器具の発光態様を１台ごとに制御できるように、個別制御機能を有するものが検討されている。例えば、照明光の発光態様を制御するための赤外線信号を受信できる赤外線通信モジュールが搭載されたダウンライトが検討されている。この場合、赤外線リモコンから送信される赤外線信号を赤外線通信モジュールによって受信することで、例えば、照明光の点消灯制御又は調光制御等を個別に行うことができる。
【０００６】
また、照明光の照射方向を変更することができるユニバーサルタイプのダウンライトについても、赤外線通信モジュールを搭載して個別に制御できるように構成することが検討されている。この場合、光源モジュールを有する器具本体に赤外線通信モジュールを取り付けることが考えられる。
【０００７】
しかしながら、赤外線通信モジュールを器具本体に取り付けると、照明光の照射方向を変更するために器具本体を回動させたときに、器具本体の回動に連動して赤外線通信モジュールの位置も移動してしまうことになる。この結果、赤外線通信モジュールによる赤外線通信の通信範囲（赤外線受信可能範囲）が変動し、器具本体を回動させる前の状態のときに赤外線リモコンを操作していた位置では、赤外線通信できなくなってしまうことがある。
【０００８】
この場合、ユーザは、器具本体の回動に連動して赤外線通信の通信範囲が変更されたことに気が付かないので、赤外線リモコンの向きを変える等して照明器具との赤外線通信を行うことができる場所を探す必要がある。また、器具本体を回動する前の位置で赤外線リモコンを操作したときに赤外線通信ができなかった場合に、ユーザは、照明器具が故障してしまったと勘違いしたりすることがある。
【０００９】
このように、光源部を有する器具本体の姿勢を変更することができる照明器具に赤外線通信モジュールを搭載すると、ユーザにとって安定した赤外線通信を行うことが難しくなる。
【００１０】
本発明は、このような課題を解決するためになされたものであり、光源部を有する器具本体が天井に対する姿勢を変更できるように構成されていたとしても、安定した赤外線通信を行うことができる照明器具を提供することを目的とする。
【課題を解決するための手段】
【００１１】
上記目的を達成するために、本発明に係る照明器具の一態様は、天井埋込型の照明器具であって、天井の開口部に埋め込み配設される灯具ユニットと、前記照明器具を制御するための赤外線信号を受信する赤外線通信モジュールとを備え、前記灯具ユニットは、光源部を有する器具本体と、前記器具本体を保持し、前記開口部に取り付けられる枠体部とを有し、前記器具本体は、前記天井に対する姿勢を変更できるように構成されており、前記赤外線通信モジュールは、前記器具本体の姿勢が変更されても前記赤外線通信モジュールの位置が変わらないように前記灯具ユニットに設けられている。
【発明の効果】
【００１２】
本発明によれば、光源部を有する器具本体が天井に対する姿勢を変更できるように構成されていたとしても、安定した赤外線通信を行うことができる。
【図面の簡単な説明】
【００１３】
【図１】天井に埋め込み配設された状態の実施の形態１に係る照明器具を模式的に示す断面図である。
【図２】実施の形態１に係る照明器具における灯具ユニットの斜視図である。
【図３】実施の形態１に係る照明器具における灯具ユニットの斜視図である。
【図４】実施の形態１に係る照明器具における灯具ユニットの断面図である。
【図５】実施の形態１に係る照明器具における灯具ユニットの平面図である。
【図６】実施の形態１に係る照明器具における器具本体の回動動作を説明するための図である。
【図７】実施の形態１の変形例１に係る照明器具における灯具ユニットの平面図である。
【図８】実施の形態１の変形例２に係る照明器具における灯具ユニットの斜視図である。
【図９】実施の形態２に係る照明器具における灯具ユニットの斜視図である。
【図１０】実施の形態２に係る照明器具における灯具ユニットの平面図である。
【図１１】実施の形態３に係る照明器具における灯具ユニットの斜視図である。
【発明を実施するための形態】
【００１４】
以下、本発明の実施の形態について、図面を参照しながら説明する。なお、以下で説明する実施の形態は、いずれも本発明の一具体例を示すものである。したがって、以下の実施の形態で示される、数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１５】
また、各図は、模式図であり、必ずしも厳密に図示されたものではない。各図において、実質的に同一の構成に対しては同一の符号を付しており、重複する説明は省略又は簡略化される場合がある。
【００１６】
なお、本明細書及び図面において、Ｘ軸、Ｙ軸及びＺ軸は、三次元直交座標系の三軸を表しており、本実施の形態では、Ｚ軸方向を鉛直方向とし、Ｚ軸に垂直な方向（ＸＹ平面に平行な方向）を水平方向としている。Ｘ軸及びＹ軸は、互いに直交し、且つ、いずれもＺ軸に直交する軸である。
【００１７】
（実施の形態１）
まず、実施の形態１に係る照明器具１の概略構成について、図１を用いて説明する。図１は、天井２に埋め込み配設された状態の実施の形態１に係る照明器具１を模式的に示す断面図である。
【００１８】
図１に示すように、照明器具１は、ダウンライト等の天井埋込型の照明器具であり、建物の天井２に埋め込み配設されることにより下方（床等）に照明光を照射する。
【００１９】
照明器具１は、灯具ユニット１００と、電源ユニット２００と、赤外線信号を受信する赤外線通信モジュール１０１とを備える。
【００２０】
灯具ユニット１００と電源ユニット２００とは、構造上分離されており、天井２の異なる箇所に設置される。具体的には、灯具ユニット１００は、天井２の開口部２ａに埋め込み配設される。また、電源ユニット２００は、天井２の裏面（天井裏）に配置される。天井２の開口部２ａは、灯具ユニット１００を天井２に取り付けるための取付用孔である。開口部２ａは、天井２を貫通する貫通孔であり、例えば円形開口の円形孔である。
【００２１】
灯具ユニット１００は、光源部１１１を有する灯体であり、照明光を出射する。灯具ユニット１００の詳細な構成については後述する。
【００２２】
灯具ユニット１００は、赤外線信号を受信する赤外線通信モジュール１０１を有する。具体的には、赤外線通信モジュール１０１は、灯具ユニット１００に設けられている。
【００２３】
赤外線通信モジュール１０１は、照明器具１を制御するための赤外線信号を受信する。赤外線信号の波長は、一例として９４５ｎｍであるが、これに限らない。赤外線信号は、例えば、赤外線送信機能を有する赤外線リモコン３から送信される。つまり、灯具ユニット１００及び赤外線リモコン３は、いずれも赤外線通信機能を有する。
【００２４】
赤外線通信モジュール１０１との間で赤外線通信を行う赤外線リモコン３は、ユーザによって操作される。ユーザが赤外線リモコン３を操作することによって、赤外線リモコン３からは、照明器具１を制御するための赤外線信号が送信される。
【００２５】
本実施の形態では、例えば、赤外線リモコン３からは、灯具ユニット１００（光源部１１１）から出射する照明光の照明態様を制御するための赤外線信号（個別照明制御用赤外線信号）が送信される。この場合、照明器具１の赤外線通信モジュール１０１は、照明器具１を制御するための赤外線信号として、光源部１１１の照明光の照明態様を制御するための赤外線信号（個別照明制御用赤外線信号）を受信する。
【００２６】
具体的には、ユーザが赤外線リモコン３を操作して照明制御用赤外線信号を照明器具１に送信することで、照明器具１の点消灯制御を行ったり、照明器具１の調光制御又は調光制御を行ったりできる。つまり、ユーザは、１台の照明器具１を個別制御したいような場合に、赤外線リモコン３を操作する。これにより、赤外線リモコン３からは、灯具ユニット１００（光源部１１１）の点消灯制御を行うための赤外線信号、又は、灯具ユニット１００（光源部１１１）の調光制御又は調色制御を行うための赤外線信号等の赤外線信号が送信される。
【００２７】
また、赤外線リモコン３からは、照明器具１と無線リモコン４とのペアリングを行うための赤外線信号（ペアリング用赤外線信号）が送信されてもよい。この場合、照明器具１の赤外線通信モジュール１０１は、照明器具１を制御するための赤外線信号として、照明器具１を無線リモコン４に対応づけるための赤外線信号（ペアリング用赤外線信号）を受信する。
【００２８】
赤外線通信モジュール１０１と電源ユニット２００とは、信号用ケーブル（制御線）等の第１電線３１０によって接続されており、赤外線通信モジュール１０１で受信した赤外線信号は、制御信号として第１電線３１０を介して電源ユニット２００に伝送される。つまり、第１電線３１０は、赤外線通信モジュール１０１で受信した赤外線信号に応じた制御信号を電源ユニット２００に伝送する。第１電線３１０は、例えば、信号用ケーブル等の制御線である。
【００２９】
電源ユニット２００は、無線信号を受信する無線通信モジュール２０１を有する。無線通信モジュール２０１は、照明器具１を制御するための無線信号を受信する。無線通信モジュール２０１は、無線信号を受信する無線アンテナと、無線アンテナで受信した無線信号を処理する処理回路（ＩＣ）とを有する。無線アンテナは、例えば基板に設けられたパターンアンテナである。無線アンテナで受信された無線信号は、処理回路で所定の制御信号（電気信号）に変換されて、電源ユニット２００の制御回路２２０に出力される。なお、無線通信モジュール２０１が受信する無線信号の周波数は、ＵＨＦ帯であり、一例として９２０ＭＨｚ帯であるが、これに限らない。
【００３０】
無線通信モジュール２０１で受信する無線信号は、例えば、無線送信機能を有する無線リモコン（電波リモコン）４から送信される。無線リモコン４は、移動可能な携帯端末であってもよいが、壁等に取り付けられていてもよい。無線リモコン４は、例えば、室内の壁に設置されており、室内に設置された１台又は複数台の照明器具１に対して各種制御を行う。
【００３１】
無線通信モジュール２０１との間で無線通信を行う無線リモコン４は、ユーザによって操作される。ユーザが無線リモコン４を操作することによって、無線リモコン４からは、照明器具１を制御するための無線信号が送信される。
【００３２】
例えば、無線リモコン４からは、当該無線リモコン４と照明器具１とのペアリングを行うための無線信号（ペアリング用無線信号）が送信される。この場合、照明器具１の無線通信モジュール２０１は、照明器具１を制御するための無線信号として、無線リモコン４と当該照明器具１とを対応づけるための無線信号（ペアリング用無線信号）を受信する。
【００３３】
また、無線リモコン４からは、無線リモコン４とペアリング済みの複数の照明器具１を１つのグループとして、この１つのグループに属する複数の照明器具１を同時に制御するための無線信号（一括照明制御用無線信号）も送信される。この場合、照明器具１の無線通信モジュール２０１は、照明器具１を制御するための無線信号として、無線リモコン４とペアリング済みの複数の照明器具１（１グループ内の複数の照明器具１）を同時に制御するための無線信号（一括照明制御用無線信号）を受信する。
【００３４】
ここで、赤外線リモコン３と無線リモコン４とを使って照明器具１の制御を行う場合の一例を説明する。特に、ペアリングの設定方法について説明する。
【００３５】
まず、無線リモコン４を操作して無線リモコン４をペアリングモードにして、無線リモコン４から照明器具１にペアリング用無線信号を送信する。これにより、照明器具１の無線通信モジュール２０１は、無線リモコン４からのペアリング用無線信号を受信する。このとき、無線リモコン４とペアリングさせる照明器具１は、１台又は複数台のいずれであってもよく、ペアリング用無線信号を受信した１台又は複数の照明器具１が、無線リモコン４とペアリングされる候補となる。
【００３６】
次に、無線リモコン４からペアリング用無線信号が送信されている間に、赤外線リモコン３を操作することによって、無線リモコン４とペアリングさせる特定の照明器具１に対してペアリング用赤外線信号を送信する。赤外線リモコン３から送信されるペアリング用赤外線信号は、照明器具１の赤外線通信モジュール１０１によって受信される。
【００３７】
これにより、ペアリング用赤外線信号を受信した特定の照明器具１が、ペアリング用無線信号を送信する無線リモコン４とペアリングされる。また、複数の照明器具１に対してペアリングを行う場合、各照明器具１に対応する赤外線リモコン３を順次操作して、ペアリング用赤外線信号を複数の照明器具１の各々に順次送信することによって、特定の１つの無線リモコン４と特定の複数の照明器具１とをペアリングすることができる。
【００３８】
そして、特定の無線リモコン４とペアリングされた１台又は複数の特定の照明器具１は、特定の無線リモコン４からの一括照明制御用無線信号によって同時に照明態様の制御が行われる。つまり、ペアリング設定が完了すると、１つの特定の無線リモコン４を操作することで、ペアリングされた１グループ内に属する複数の特定の照明器具１に対して、同時に点消灯制御を行ったり、同時に調光制御を行ったりできる。
【００３９】
また、複数の照明器具１とのペアリングが完了した後でも、各照明器具１に対応する赤外線リモコン３を操作することで、各照明器具１の照明態様を個別に制御することも可能である。
【００４０】
なお、本実施の形態において、無線通信モジュール２０１は、無線信号を受信する機能のみを有しているが、これに限らず、無線信号を送信する機能を有していてもよい。この場合、無線リモコン４が無線信号を受信できる機能を有していれば、無線通信モジュール２０１から送信された無線信号を無線リモコン４で受信することができる。
【００４１】
電源ユニット２００は、光源部１１１を発光させるための電力を生成する電源機能を有する。具体的には、電源ユニット２００は、電源回路２１０によって、電源端子台２０５から供給される商用電源からの交流電力を直流電力に変換する。
【００４２】
電源ユニット２００と灯具ユニット１００（光源部１１１）とは、第２電線３２０によって接続されており、電源ユニット２００で生成された直流電力は、第２電線３２０を介して灯具ユニット１００の光源部１１１に供給される。第２電線３２０は、電源ケーブル等の電力供給線である。
【００４３】
また、本実施の形態において、電源ユニット２００は、さらに、灯具ユニット１００（光源部１１１）の照明態様を制御する照明制御機能を有する。具体的には、電源ユニット２００は、制御回路２２０によって、無線通信モジュール２０１で受信した無線信号又は赤外線通信モジュール１０１で受信した赤外線信号に応じて光源部１１１の照明態様（発光態様）を制御する。例えば、電源ユニット２００は、制御回路２２０によって、灯具ユニット１００（光源部１１１）を点灯させたり消灯させたり、灯具ユニット１００（光源部１１１）の明るさを変えたり光色や色温度を変えたりする。本実施の形態において、制御回路２２０は、電源回路２１０とともに同じ回路基板に組み込まれている。
【００４４】
電源ユニット２００は、無線通信モジュール２０１と、無線通信モジュール２０１を収納する筐体２０２とを有する。さらに、電源ユニット２００は、回路基板２０３と、複数の回路素子２０４とを有する。
【００４５】
筐体２０２は、無線通信モジュール２０１と、複数の回路素子２０４が実装された回路基板２０３とを収納する。例えば、筐体２０２は、金属製又は絶縁樹脂製のケースである。本実施の形態において、筐体２０２は、金属ケースである。筐体２０２は、天井裏に配置される。
【００４６】
回路基板２０３は、所定形状の金属配線が形成されたプリント配線基板である。回路基板２０３には、複数の回路素子２０４が実装されている。
【００４７】
複数の回路素子２０４には、光源部１１１を発光させるための電力を生成する電源回路２１０を構成する電源回路素子と、光源部１１１の照明態様を制御する制御回路２２０を構成する制御回路素子とが含まれる。
【００４８】
電源回路２１０を構成する電源回路素子及び制御回路２２０を構成する制御回路素子は、例えば、容量素子（電解コンデンサ、セラミックコンデンサ等）、抵抗素子（抵抗器等）、整流回路素子、コイル素子、トランス、ノイズフィルタ、ダイオード、集積回路素子（ＩＣ）、又は、半導体素子（ＦＥＴ等）等である。
【００４９】
電源回路２１０は、例えば、商用電源等の外部電源からの交流電力を、整流、平滑及び降圧等して所定レベルの直流電力に変換する。制御回路２２０は、調光制御回路及び調色制御回路等である。制御回路２２０によって電源回路２１０から出力する直流電力が制御される。
【００５０】
また、電源ユニット２００には、電源端子台２０５が設けられている。電源端子台２０５にはＶＶＦケーブル等の電線が接続されており、この電線によって商用電源からの交流電力が電源端子台２０５に供給される。電源端子台２０５に供給された交流電力は、電源回路２１０に供給される。
【００５１】
このように構成された照明器具１では、例えば、赤外線リモコン３から送信された赤外線信号が赤外線通信モジュール１０１で受信（受光）されると、赤外線信号の指示内容に応じて、灯具ユニット１００（光源部１１１）が点灯したり消灯したり、また、灯具ユニット１００（光源部１１１）の明るさが変化したり光色や色温度が変化したりする。
【００５２】
この場合、灯具ユニット１００に搭載された赤外線通信モジュール１０１に赤外線信号が受信されると、この赤外線信号は、赤外線通信モジュール１０１で所定の制御信号（電気信号）に変換され、第１電線３１０によって電源ユニット２００の制御回路２２０に送信される。
【００５３】
そして、第１電線３１０を介して赤外線通信モジュール１０１から電源ユニット２００に送信された赤外線信号に基づく制御信号は、制御回路２２０及び電源回路２１０で処理され、所望の直流電力となって、第２電線３２０を介して灯具ユニット１００の光源部１１１に供給される。これにより、光源部１１１は、赤外線信号の指示内容に応じて照明態様が変化する。
【００５４】
例えば、赤外線通信モジュール１０１で受信した赤外線信号が点灯信号又は消灯信号である場合、電源ユニット２００（電源回路２１０）から光源部１１１への直流電力の供給を開始したり停止したりする。また、赤外線通信モジュール１０１で受信した赤外線信号が調光信号（ＰＷＭ調光信号や位相制御調光信号）又は調色信号である場合、調光制御又は調色制御された直流電力が電源回路２１０から光源部１１１に供給される。これにより、光源部１１１が調光されて照明光の明るさが変化したり、光源部１１１が調色されて光色又は色温度が変化したりする。
【００５５】
なお、無線リモコン４を操作して照明器具１の照明態様を変更させる場合（点消灯制御や調光制御等を行う場合）も同様である。
【００５６】
［灯具ユニット］
次に、実施の形態１に係る照明器具１における灯具ユニット１００の詳細な構成について、図２〜図５を用いて詳細に説明する。図２及び図３は、実施の形態１に係る照明器具１における灯具ユニット１００の斜視図である。図４は、同灯具ユニット１００の断面図である。図５は、同灯具ユニット１００の平面図である。なお、図４では、灯具ユニット１００の断面部分のみを図示している。また、図２〜図５において、第１電線３１０及び第２電線３２０は省略している。
【００５７】
図２〜図５に示すように、灯具ユニット１００は、光源部１１１（図４参照）を有する器具本体１１０と、枠体部１２０とを有する。
【００５８】
本実施の形態における照明器具１は、照明器具１から照射される照明光の照射方向を変更することができるユニバーサルタイプのダウンライトである。したがって、灯具ユニット１００は、器具本体１１０の天井２に対する姿勢を変更できるように構成されている。つまり、器具本体１１０の姿勢を変更させることによって、照明器具１に配置された光源部１１１から照射される照明光の照射方向を変更することができる。
【００５９】
［器具本体］
器具本体１１０は、光源部１１１を有する灯具であり、光源部１１１によって照明光を出射する。上述のように、器具本体１１０は、天井２に対する姿勢を変更できるように構成されている。具体的には、器具本体１１０は、光源部１１１の光軸と天井２の天井面２ｂとのなす角度が変化するように回動することで、天井２の天井面２ｂに対する姿勢が変更する。本実施の形態において、器具本体１１０は、さらに、天井２の天井面２ｂに対して水平回転できるように構成されている。
【００６０】
器具本体１１０は、枠体部１２０に支持されている。具体的には、器具本体１１０は、天井２の天井面２ｂに対する姿勢を変更できるように、かつ、天井２の天井面２ｂに対して水平回転できるように、枠体部１２０に支持されている。
【００６１】
本実施の形態において、器具本体１１０は、光源部１１１と、基台１１２と、反射板１１３と、レンズ１１４とを有する。
【００６２】
［光源部］
図４に示される光源部１１１は、例えば照明光として白色光を照射する光源モジュールである。本実施の形態において、光源部１１１は、ＬＥＤによって構成されたＬＥＤモジュール（ＬＥＤ光源）である。一例として、光源部１１１は、ＣＯＢ（Ｃｈｉｐ  Ｏｎ  Ｂｏａｒｄ）構造であり、基板と、基板に実装されたＬＥＤと、ＬＥＤを封止する封止部材とを有する。ＬＥＤ及び封止部材は、光源部１１１の発光部となる。
【００６３】
基板は、ＬＥＤを実装するための実装基板であって、例えば、セラミックス基板、樹脂基板又はメタルベース基板等である。なお、基板には、直流電力を電源ユニット２００から受電するための一対の電極端子と、ＬＥＤ同士を電気的に接続するための所定のパターンの金属配線とが形成されている。一対の電極端子には、第２電線３２０が接続されている。
【００６４】
ＬＥＤは、発光素子の一例であり、例えば、単色の可視光を発するベアチップである。具体的には、ＬＥＤは、通電されれば青色光を発する青色ＬＥＤチップである。ＬＥＤは、例えば基板にマトリクス状に複数個配置されている。なお、ＬＥＤは、少なくとも１つ配置されていればよい。
【００６５】
封止部材は、例えば透光性樹脂である。本実施の形態における封止部材は、ＬＥＤからの光を波長変換する波長変換材として蛍光体を含んでいる。封止部材は、例えば、シリコーン樹脂に蛍光体を分散させた蛍光体含有樹脂である。蛍光体粒子としては、ＬＥＤが青色ＬＥＤチップである場合、白色光を得るために、例えばＹＡＧ系の黄色蛍光体を用いることができる。この場合、黄色蛍光体が、青色ＬＥＤチップが発した青色光の一部を吸収して励起されて黄色光を放出する。そして、この黄色光と黄色蛍光体に吸収されなかった青色光とが混ざって白色光となって光源部１１１から出射する。
【００６６】
なお、封止部材は、全てのＬＥＤを一括封止するように円形状に形成されているが、複数のＬＥＤを列ごとにライン状に封止してもよいし、各ＬＥＤを１つずつ個別に封止してもよい。
【００６７】
また、本実施の形態における光源部１１１は、調光制御及び調色制御を行うことができる光源モジュールである。したがって、光源部１１１は、例えば光色又は色温度が異なる複数の発光部を有する。この場合、光色の異なるＬＥＤを用いたり、波長変換材（蛍光体）の種類及び量を調整したりすることによって、各発光部の光色及び色温度を異ならせることができる。
【００６８】
このように構成された光源部１１１は、ホルダ等によって基台１１２に取り付けられる。例えば、ホルダによって光源部１１１を基台１１２に押さえつけ、ホルダと基台１１２とをネジ等によって固定することで、光源部１１１を基台１１２の所定の位置に配置することができる。また、本実施の形態において、光源部１１１は、灯具ユニット１００の光軸中心に配置されている。
【００６９】
［基台］
基台１１２は、光源部１１１が配置されるベース部材である。基台１１２は、光源部１１１を支持するとともに、光源部１１１で発生する熱を放熱するヒートシンクとしても機能する。したがって、基台１１２は、アルミニウム等の金属材料又は高熱伝導樹脂等の熱伝導率の高い材料によって作製されているとよい。本実施の形態において、基台１１２は、アルミダイカスト製である。
【００７０】
図４に示すように、基台１１２は、開口部１１２ａを有する凹部が設けられている。基台１１２の凹部内には、光源部１１１、反射板１１３及びレンズ１１４が配置される。なお、基台１１２の開口部１１２ａ内には、枠状のバッフルが配置されている。
【００７１】
また、基台１１２には、複数の放熱フィン１１２ｂが設けられている。複数の放熱フィン１１２ｂの各々は、平板状であり、器具本体１１０の凹部の反対側の部分の表面に立設されている。放熱フィン１１２ｂを設けることによって、光源部１１１で発生する熱を効率良く放熱させることができる。
【００７２】
［反射板］
図４に示される反射板１１３は、光源部１１１から出射した光を反射する反射部材である。具体的には、反射板１１３の内面は、光源部１１１からの光を反射させる反射面となっており、反射板１１３は、反射面によって光源部１１１から出射した光を所望の方向に向くように制御している。本実施の形態において、反射板１１３は、光源部１１１から出射した光がレンズ１１４に入射するように配光制御している。一例として、反射板１１３は、内面形状が漏斗状の円筒形状であり、内径が光入射側（光源側）の開口部から光出射側の開口部に向かって漸次大きくなるように構成されている。
【００７３】
反射板１１３は、例えば樹脂材料又は金属材料によって形成することができる。具体的には、反射板１１３は、ＰＢＴ（ポリブチレンテレフタレート）等の樹脂材料を用いた作製された白色の樹脂成型品であってもよいし、樹脂成型品の内面にアルミニウム等の金属膜が形成されたものであってもよいし、アルミニウム等の金属材料によって形成された金属部品であってもよい。
【００７４】
このように構成される反射板１１３は、基台１１２に取り付けられている。具体的には、反射板１１３は、光源部１１１を基台１１２に保持するために基台１１２に固定されたホルダに取り付けられることで、基台１１２に間接的に取り付けられている。
【００７５】
［レンズ］
図２及び図４に示すように、レンズ１１４は、光源部１１１を覆うように配置される。具体的には、レンズ１１４は、反射板１１３の開口部を覆うように、基台１１２に取り付けられている。
【００７６】
レンズ１１４は、光源部１１１から出射した光及び反射板１１３で反射した光が透過する。具体的には、レンズ１１４は、光源部１１１から出射した光及び反射板１１３で反射した光を所定の方向に配光制御する機能を有する。本実施の形態において、レンズ１１４は、フレネルレンズ機能を有するフレネル構造を有する。レンズ１１４は、さらに、光拡散構造を有する。光拡散構造は、例えば、レンズ１１４の光出射側の表面に形成された複数の微小凹凸（ドット、プリズム）である。
【００７７】
レンズ１１４は、透光性を有する透光性材料によって形成されている。具体的には、レンズ１１４は、アクリル又はポリカーボネート等の透明樹脂材料、又は、ガラス材料によって構成される。
【００７８】
［枠体部］
図１に示すように、枠体部１２０は、器具本体１１０を天井２の開口部２ａに取り付けるための取付部材である。枠体部１２０は、器具本体１１０を保持している。具体的には、枠体部１２０は、器具本体１１０を天井２の開口部２ａに保持させるために、天井２の開口部２ａに取り付けられる。
【００７９】
また、枠体部１２０は、器具本体１１０を回動可能に保持している。本実施の形態において、枠体部１２０は、さらに、器具本体１１０を水平回転可能に保持している。
【００８０】
図３及び図４に示すように、枠体部１２０は、枠本体１２１と回転板１２２と取付バネ１２３とを有する枠体ユニットとして構成されている。
【００８１】
枠本体１２１は、鉛直下方側の第１開口部と鉛直上方側の第２開口部とを有するカップ状の略円筒形状である。枠本体１２１は、例えば、アルミニウム等の金属材料によって構成されている。本実施の形態において、枠本体１２１は、アルミダイカスト製である。なお、枠本体１２１の材質は、金属材料に限るものではなく、樹脂材料であってもよい。
【００８２】
枠本体１２１の鉛直下方側の第１開口部にはフランジ状の鍔部が形成されている。この枠本体１２１の鍔部を天井２の天井面２ｂに当接させて枠本体１２１の外面に設けられた３つの取付バネ１２３によって天井２の開口部２ａの内側面を押圧することで、灯具ユニット１００を開口部２ａに保持させることができる。取付バネ１２３は、灯具ユニット１００を天井２の開口部２ａに取り付けるためのバネ部材であり、板バネ構造を有する。取付バネ１２３は、例えば長尺状の金属板によって形成されている。
【００８３】
回転板１２２は、枠体部１２０を器具本体１１０に連結する連結部材である。回転板１２２は、器具本体１１０に連結されている。本実施の形態において、回転板１２２は、枠本体１２１に固定されており、回転板１２２は、枠体部１２０の枠本体１２１と器具本体１１０の基台１１２とを連結している。回転板１２２は、例えば、金属板によって構成されている。
【００８４】
具体的には、図３に示すように、回転板１２２は、支持アーム１２２ａと、円環板枠状の回転枠１２２ｂとによって構成されている。支持アーム１２２ａは、回転枠１２２ｂから立設するように回転枠１２２ｂの一部に設けられている。
【００８５】
回転板１２２は、器具本体１１０の姿勢の変更を可能とするための姿勢変更部材として機能する。具体的には、回転板１２２の支持アーム１２２ａには、器具本体１１０を回動させて天井面２ｂに対する姿勢を変更するためのスリット１２２ａ１が設けられている。したがって、スリット１２２ａ１は、器具本体１１０の回動方向に沿って一定の幅（スリット幅）で形成されている。
【００８６】
回転板１２２の支持アーム１２２ａは、スリット１２２ａ１を介して基台１１２とリング部材１２４とで挟持されている。具体的には、スリット１２２ａ１の幅よりも外径が大きい一対のリング部材１２４で支持アームを挟んで各リング部材１２４の貫通孔にネジ１２５を挿入し、ネジ１２５を基台１１２にねじ込むことで、支持アーム１２２ａを基台１１２とリング部材１２４とでネジ１２５の締め付けによって挟持している。
【００８７】
この構成により、基台１１２を回動させることで、基台１１２にねじ込まれたネジ１２５がスリット１２２ａ１に沿って移動する。これにより、器具本体１１０をスリット１２２ａ１の形状に沿って回動させることができるので、器具本体１１０の天井面２ｂに対する姿勢を変更することができる。
【００８８】
なお、回動させた器具本体１１０は、基台１１２とリング部材１２４とで支持アーム１２２ａを保持する保持力によって、任意の回動角で保持させることができる。この場合、ネジ１２５の締めつけトルクを調整することによって、基台１１２とリング部材１２４とで支持アーム１２２ａを保持する保持力を調整することができる。
【００８９】
また、回転板１２２は、器具本体１１０を天井２の天井面２ｂに対する水平回転を可能とするための水平回転部材としても機能する。具体的には、回転板１２２の回転枠１２２ｂが、天井面２ｂと平行な面内で枠体部１２０に対して水平回転できるように構成されている。この場合、回転枠１２２ｂの枠体部１２０側の端部は、枠本体１２１の天井２側の開口部の端面と摺動するようにして枠本体１２１に固定されている。これにより、器具本体１１０を、天井面２ｂに平行な面内で水平回転させることができる。
【００９０】
このように構成される枠体部１２０は、図４に示すように、器具本体１１０と隙間Ｇをあけて器具本体１１０の一部を囲んでいる。つまり、枠体部１２０と器具本体１１０との間には、周方向に沿って隙間Ｇが存在する。本実施の形態において、枠体部１２０は、枠本体１２１が器具本体１１０の基台１１２の開口部１１２ａを囲むように配置されており、枠本体１２１の内面と基台１１２の開口部１１２ａの側壁の外面との間に隙間Ｇが存在する。
【００９１】
また、図４及び図５に示すように、枠体部１２０には、赤外線信号が通る貫通孔１２０ａが設けられている。本実施の形態において、貫通孔１２０ａは、枠本体１２１に設けられている。具体的には、貫通孔１２０ａは、枠本体１２１の内面の一部に形成した突出部に設けられている。また、貫通孔１２０ａは、赤外線通信モジュール１０１のケース１０１ｃに設けられた貫通孔１０１ｃ１と重なる位置に設けられている。これにより、赤外線リモコン３から灯具ユニット１００に向けて送信された赤外線信号は、枠体部１２０の貫通孔１２０ａ及び赤外線通信モジュール１０１の貫通孔１０１ｃ１を通って、赤外線通信モジュール１０１の赤外線受信部１０１ａに受光される。
【００９２】
［赤外線通信モジュール］
赤外線通信モジュール１０１は、赤外線信号を受信する機能を有する。具体的には、赤外線通信モジュール１０１は、受信した赤外線信号を所定の制御信号（電気信号）に変換する。本実施の形態における赤外線通信モジュール１０１は、赤外線通信機能のみを有しているので、小型のモジュールとなっている。
【００９３】
図４に示すように、赤外線通信モジュール１０１は、赤外線受信部１０１ａと、回路基板１０１ｂと、ケース１０１ｃと、透光カバー１０１ｄとを有する。
【００９４】
赤外線受信部１０１ａは、赤外線信号を受信する受信部である。具体的には、赤外線受信部１０１ａは、赤外線信号である赤外光を受光する赤外線受光部である。例えば、赤外線受信部１０１ａは、赤外線リモコン３から送信された赤外線信号を受光する。赤外線受信部１０１ａは、ケース１０１ｃに設けられた貫通孔１０１ｃ１に対向する位置に配置される。
【００９５】
回路基板１０１ｂには、赤外線受信部１０１ａが実装されているとともに、複数の回路素子（不図示）が実装されている。回路基板１０１ｂに実装された複数の回路素子は、赤外線受信部１０１ａで受光した赤外線信号を所定の制御信号（電気信号）に変換する処理回路を構成している。この処理回路で生成された制御信号は、第１電線３１０（図１）を介して電源ユニット２００の制御回路２２０に伝送される。
【００９６】
ケース１０１ｃは、赤外線受信部１０１ａと、複数の回路素子が実装された回路基板１０１ｂとを収納する筐体である。ケース１０１ｃは、例えば樹脂製であるが、これに限らない。本実施の形態におけるケース１０１ｃは、２つに分割されているが、一体物であってもよい。
【００９７】
ケース１０１ｃには、赤外線信号を通過させるための貫通孔１０１ｃ１が設けられている。赤外線通信モジュール１０１の貫通孔１０１ｃ１は、枠体部１２０と器具本体１１０との間の隙間Ｇを臨む位置に配置されている。これにより、赤外線受信部１０１ａは、ケース１０１ｃの貫通孔１０１ｃ１を介して、枠体部１２０と器具本体１１０との間の隙間Ｇを臨む位置に配置される。これにより、赤外線リモコン３から送信される赤外線信号は、枠体部１２０と器具本体１１０との間の隙間Ｇを通って赤外線受信部１０１ａに到達する。
【００９８】
透光カバー１０１ｄは、ケース１０１ｃに設けられた貫通孔１０１ｃ１を覆う。透光カバー１０１ｄは、赤外線信号を透過する材料によって構成されている。透光カバー１０１ｄは、矩形状の透明板であり、例えば透明樹脂材料又はガラス材料によって構成されている。透光カバー１０１ｄによって貫通孔１０１ｃ１を覆うことで、貫通孔１０１ｃ１からケース１０１ｃ内に塵埃等の異物が入り込むことを抑制できる。これにより、塵埃等が赤外線受信部１０１ａに付着して赤外線信号が正しく受信できなくなることを抑制することができる。
【００９９】
このように構成される赤外線通信モジュール１０１は、灯具ユニット１００に設けられている。本実施の形態において、赤外線通信モジュール１０１は、器具本体１１０の姿勢が変更されても赤外線通信モジュール１０１の位置が変わらないように灯具ユニット１００に設けられている。具体的には、赤外線通信モジュール１０１は、枠体部１２０に取り付けられる。
【０１００】
より具体的には、赤外線通信モジュール１０１は、枠体部１２０の枠本体１２１の側壁を二股で挟み込むようにして枠本体１２１に取り付けられている。枠本体１２１は、器具本体１１０が回動して器具本体１１０の姿勢が変更しても動かない。したがって、赤外線通信モジュール１０１は、器具本体１１０が回動しても、器具本体１１０の回動に連動して位置が変化しない。つまり、赤外線通信モジュール１０１は、姿勢が変化することなく、常に一定の位置及び向きになっている。
【０１０１】
なお、本実施の形態では、赤外線通信モジュール１０１は、枠本体１２１を二股で跨ぐようにケース１０１ｃに切り欠き部が形成された構造であったが、これに限らない。例えば、赤外線通信モジュール１０１（ケース１０１ｃ）の外形は一般的な略直方体とし、この赤外線通信モジュール１０１が収まるような切り欠き部を枠本体１２１の方に形成してもよい。
【０１０２】
また、灯具ユニット１００に設けられた赤外線通信モジュール１０１は、枠体部１２０と器具本体１１０（基台１１２）との隙間Ｇを介して赤外線信号を受信可能に灯具ユニット１００に設けられている。つまり、隙間Ｇは、赤外線信号を通過させるための赤外線信号用開口部として機能する。
【０１０３】
本実施の形態において、赤外線通信モジュール１０１は、隙間Ｇに極力近づけて取り付けられている。具体的には、赤外線通信モジュール１０１は、光源部１１１よりも隙間Ｇに近い位置に設けられている。より具体的には、赤外線通信モジュール１０１は、赤外線受信部１０１ａがレンズ１１４よりも隙間Ｇに近い位置に存在するように設けられている。
【０１０４】
［器具本体の回動動作］
次に、実施の形態１に係る照明器具１における器具本体１１０の回動動作について、図６を用いて説明する。図６は、実施の形態１に係る照明器具１における器具本体１１０の回動動作を説明するための図である。
【０１０５】
図６の（ａ１）及び（ａ２）は、器具本体１１０を回動させておらず、器具本体１１０（光源部１１１）の光軸ＪＬがＺ軸方向と平行な状態（回動角＝０°）を示しており、図６の（ｂ１）及び（ｂ２）は、器具本体１１０を最大に回動させたときの状態（回動角＝４５°）を示している。
【０１０６】
本実施の形態における灯具ユニット１００では、器具本体１１０が回動（首振り）可能に枠体部１２０に支持されている。具体的には、器具本体１１０は、天井面２ｂに対する姿勢が変化するように回動可能に枠体部１２０に支持されている。このように、器具本体１１０の天井面２ｂに対する姿勢が変化することで、灯具ユニット１００（光源部１１１）の光の照射方向を変更することができる。
【０１０７】
本実施の形態において、器具本体１１０は、Ｙ軸と平行な軸を回動軸ＪＲ１（揺動軸）として、回転方向Ｒ１の方向に揺動するように回動可能に構成されている。このとき、図６の（ｂ１）及び（ｂ２）に示すように、器具本体１１０が回動（揺動）できる最大可動角度αＭＡＸは、一例として、４５°であるが、これに限るものではない。
【０１０８】
灯具ユニット１００では、最大可動角度αＭＡＸの範囲内の所望の角度（首振り角）で器具本体１１０を保持することが可能となっており、器具本体１１０の首振り角を調整することで光の照射方向を自由に変えることができる。
【０１０９】
さらに、器具本体１１０は、天井面２ｂに対する姿勢を変更できるだけではなく、天井面２ｂに垂直な方向（本実施の形態では、Ｚ軸方向）を回動軸ＪＲ２として、回転方向Ｒ２の方向に回動自在となっている。つまり、器具本体１１０は、天井面２ｂに平行な面内で水平回転することができる。これにより、器具本体１１０を天井面２ｂに対して傾けた状態で水平回転させることができる。
【０１１０】
本実施の形態において、器具本体１１０は、枠体部１２０の中心軸を回動軸ＪＲ２として、回転方向Ｒ２の方向に回動可能に構成されている。器具本体１１０の回転方向Ｒ２に方向する最大可動角度は、一例として、約３５５°であるが、これに限らない。
【０１１１】
このように、器具本体１１０は、回動軸ＪＲ１及びＪＲ２の２軸回りに回動自在となっており、器具本体１１０を回動させることで器具本体１１０（光源部１１１）から出射する光の進行方向を変更することができる。
【０１１２】
［まとめ］
以上、本実施の形態における照明器具１によれば、光源部１１１を有する器具本体１１０が天井２に対する姿勢を変更できるように構成されているが、赤外線通信モジュール１０１は、器具本体１１０の姿勢が変更されても赤外線通信モジュール１０１の位置が変わらないように灯具ユニット１００に設けられている。本実施の形態では、赤外線通信モジュール１０１は、枠体部１２０に取り付けられている。
【０１１３】
この構成により、照明光の照射方向を変更するために器具本体１１０の姿勢を変更させたとしても、赤外線通信モジュール１０１の位置が変わらない。これにより、器具本体１１０の姿勢によらず、赤外線通信モジュール１０１による赤外線通信の通信範囲（赤外線受光範囲）が一定になる。具体的には、枠体部１２０及び器具本体１１０の間の隙間Ｇと赤外線通信モジュール１０１との位置関係が常に一定になっている。したがって、器具本体１１０の姿勢にかかわらず、安定した赤外線通信を行うことができる。例えば、ユーザは、毎回同じ位置から照明器具１に対して赤外線リモコンを一定の方向に向けて赤外線リモコンを操作するだけで、照明器具１の点消灯及び調光等を行うことができる。
【０１１４】
また、本実施の形態における照明器具１では、枠体部１２０は、器具本体１１０と隙間Ｇをあけて配置されており、赤外線通信モジュール１０１は、この隙間Ｇを介して赤外線信号を受信可能に灯具ユニット１００に取り付けられている。
【０１１５】
この構成により、枠体部１２０と器具本体１１０との間の隙間Ｇから赤外線信号を受光することができる。これにより、赤外線通信モジュール１０１を設置するスペースを確保するために器具本体１１０（基台１１２）又は枠体部１２０の形状を変形させる必要がない。したがって、赤外線通信モジュール１０１を設けることで意匠性が悪くなることを抑制しつつ、既存の器具本体１１０又は枠体部１２０を利用することができるので、低コストで赤外線通信を行うことができる照明器具１を実現できる。
【０１１６】
また、枠体部１２０と器具本体１１０との間の隙間Ｇを通過した赤外線信号は、さらに直進を続けるが、直進した距離に応じて赤外線信号の強度は減衰していく。そこで、本実施の形態における照明器具１では、隙間Ｇに極力近づけて取り付けられている。具体的には、赤外線通信モジュール１０１は、光源部１１１よりも隙間Ｇに近い位置に設けられている。
【０１１７】
これにより、赤外線通信モジュール１０１を隙間Ｇから離れている場合と比べて、赤外線信号の受光強度を大きくすることができる。したがって、赤外線通信モジュール１０１によって赤外線信号が検知しやすくなるので、より安定した赤外線通信を行うことができる。
【０１１８】
また、本実施の形態における照明器具１では、枠体部１２０に、赤外線信号が通る貫通孔１２０ａが設けられている。具体的には、貫通孔１２０ａは、赤外線通信モジュール１０１と重なる位置に設けられている。
【０１１９】
このように、枠体部１２０に貫通孔１２０ａを設けることによって、一層安定した赤外線通信を行うことが可能となる。
【０１２０】
なお、本実施の形態において、枠体部１２０の貫通孔１２０ａは、枠本体１２１の内面の一部に形成した突出部に設けられているが、これに限らない。例えば、図７に示すように、隙間Ｇを塞ぐように枠本体１２１に枠板状のカバー部１２１ａを形成して、カバー部１２１ａに貫通孔１２０ａが設けられていてもよい。また、赤外線信号が通る貫通孔１２０ａは、枠体部１２０ではなく、器具本体１１０に設けられていてもよい。
【０１２１】
本実施の形態では、赤外線通信モジュール１０１は枠体部１２０に取り付けられているが、赤外線通信モジュール１０１が取り付けられる枠体部１２０の位置によっては、器具本体１１０を回動して器具本体１１０の姿勢が変更されたときに、赤外線通信モジュール１０１が器具本体１１０に当たる等して赤外線通信モジュール１０１と器具本体１１０とが干渉する場合がある。赤外線通信モジュール１０１と器具本体１１０とが干渉すると、器具本体１１０の姿勢変更に制限が生じたり、赤外線通信モジュール１０１が破損したりするおそれがある。
【０１２２】
そこで、赤外線通信モジュール１０１は、器具本体１１０の姿勢が変更された際に器具本体１１０と干渉しない位置に取り付けられているとよい。この場合、枠体部１２０における赤外線通信モジュール１０１の取り付け位置を工夫してもよいし、図８に示すように、器具本体１１０を最大可動角度αＭＡＸまで回動させたときに、器具本体１１０における赤外線通信モジュール１０１が干渉しうる箇所に切り欠き部を設けてもよい。例えば、器具本体１１０を最大可動角度αＭＡＸまで回動させたときに器具本体１１０の放熱フィン１１２ｂと赤外線通信モジュール１０１とが干渉する放熱フィン１１２ｂの一部に、赤外線通信モジュール１０１が収納される切り欠き部を形成してもよい。
【０１２３】
このように、器具本体１１０の姿勢が変更された際に器具本体１１０と干渉しないように赤外線通信モジュール１０１を配置することで、器具本体１１０の姿勢が変更された場合でも、赤外線通信モジュール１０１が器具本体１１０に干渉することを回避することができる。したがって、器具本体１１０の姿勢変更に制限が生じないので、最大可動角度αＭＡＸまで器具本体１１０を回動させることができる。また、赤外線通信モジュール１０１が破損することを防止することもできる。
【０１２４】
（実施の形態２）
次に、実施の形態２に係る照明器具１Ｘについて、図９及び図１０を用いて説明する。図９は、実施の形態２に係る照明器具１Ｘにおける灯具ユニット１００Ｘの斜視図である。図１０は、同灯具ユニット１００Ｘの平面図である。
【０１２５】
本実施の形態における照明器具１Ｘと上記実施の形態１に係る照明器具１とは、赤外線通信モジュール１０１の取り付け位置が異なる。それ以外の構成は、上記実施の形態１に係る照明器具１と同じである。
【０１２６】
本実施の形態における照明器具１Ｘでも、赤外線通信モジュール１０１は、器具本体１１０の姿勢が変更されても赤外線通信モジュール１０１の位置が変わらないように灯具ユニット１００Ｘに設けられている。具体的には、図９及び図１０に示すように、本実施の形態における赤外線通信モジュール１０１は、器具本体１１０の姿勢の変更を可能とするための姿勢変更部材である回転板１２２に取り付けられている。より具体的には、赤外線通信モジュール１０１は、回転板１２２の支持アーム１２２ａの器具本体１１０側の面に取り付けられている。これにより、赤外線通信モジュール１０１は、器具本体１１０と枠体部１２０との間の隙間Ｇを介して赤外線信号を受信可能になっている。
【０１２７】
以上、本実施の形態における照明器具１Ｘでも、上記実施の形態１と同様に、器具本体１１０の姿勢が変更されても赤外線通信モジュール１０１の位置が変わらないので、器具本体１１０の姿勢によらず、赤外線通信モジュール１０１の受光範囲が一定になる。これにより、器具本体１１０の姿勢にかかわらず、安定した赤外線通信を行うことができる。
【０１２８】
（実施の形態３）
次に、実施の形態３に係る照明器具１Ｙについて、図１１を用いて説明する。図１１は、実施の形態３に係る照明器具１Ｙにおける灯具ユニット１００Ｙの斜視図である。
【０１２９】
本実施の形態における照明器具１Ｙと上記実施の形態１に係る照明器具１とは、赤外線通信モジュール１０１の取り付け位置が異なる。それ以外の構成は、上記実施の形態１に係る照明器具１と同じである。
【０１３０】
本実施の形態における照明器具１Ｙでも、赤外線通信モジュール１０１は、器具本体１１０の姿勢が変更されても赤外線通信モジュール１０１の位置が変わらないように灯具ユニット１００Ｙに設けられている。具体的には、図１１に示すように、本実施の形態における赤外線通信モジュール１０１は、灯具ユニット１００Ｙを天井２の開口部２ａに取り付けるためのバネ部材である取付バネ１２３が取り付けられている。より具体的には、赤外線通信モジュール１０１は、図１１に示すように、取付バネ１２３を折り曲げたときに取付バネ１２３の器具本体１１０側となる面に取り付けられている。これにより、器具本体１１０と枠体部１２０との間の隙間Ｇを介して赤外線信号を受信可能になっている。
【０１３１】
以上、本実施の形態における照明器具１Ｙでも、上記実施の形態１と同様に、器具本体１１０の姿勢が変更されても赤外線通信モジュール１０１の位置が変わらないので、器具本体１１０の姿勢によらず、赤外線通信モジュール１０１の受光範囲が一定になる。これにより、器具本体１１０の姿勢にかかわらず、安定した赤外線通信を行うことができる。
【０１３２】
（変形例）
以上、本発明に係る照明器具について、実施の形態に基づいて説明したが、本発明は、上記実施の形態に限定されるものではない。
【０１３３】
例えば、上記各実施の形態において、赤外線通信モジュール１０１は、灯具ユニット１００に１つ設けられていたが、これに限らない。赤外線通信モジュール１０１は、灯具ユニット１００に複数設けられていてもよい。
【０１３４】
また、上記各実施の形態において、光源部１１１から出射する光に含まれる赤外線成分をカットするための赤外線カットフィルタを、光源部１１１の周辺等に配置してもよい。例えば、赤外線通信モジュール１０１が枠体部１２０に設けられている場合、レンズ１１４に赤外線カットフィルタを貼り合わせたり、レンズ１１４の前段又は後段に、赤外線カットフィルタを有する部材を取り付けたりすることができる。また、赤外線カットフィルタを用いるのではなく、赤外線成分をカットするための赤外線吸収材料をレンズ１１４に含ませてもよい。このように、光源部１１１から出射する光に含まれる赤外線成分をカットすることで、不要な赤外線が赤外線通信モジュール１０１に到達することを抑制できるので、赤外線通信モジュール１０１の誤検知を抑制することができる。
【０１３５】
また、上記各実施の形態において、回転板１２２を用いて、器具本体１１０を２軸回りに回動自在となるように構成したが、これに限らず、その他の構成によって、器具本体１１０を２軸回りに回動自在に構成してもよい。
【０１３６】
また、上記各実施の形態において、光源部１１１は、青色ＬＥＤと黄色蛍光体とによって白色光を放出するように構成したが、これに限らない。例えば、赤色蛍光体及び緑色蛍光体を含有する蛍光体含有樹脂を用いて、この蛍光体含有樹脂と青色ＬＥＤとを組み合わせることで白色光を放出するように構成しても構わない。
【０１３７】
また、上記各実施の形態において、ＬＥＤとして、青色ＬＥＤを用いたが、これに限らない。例えば、ＬＥＤとしては、青色以外の色の光を発光するものや、紫外光を発するものを用いてもよい。この場合、蛍光体としては、ＬＥＤが発する光の波長に応じて適宜選択すればよい。
【０１３８】
また、上記各実施の形態において、光源部１１１は、実装基板上にＬＥＤチップを直接実装したＣＯＢ構造としたが、これに限らない。例えば、ＣＯＢ構造のＬＥＤモジュールに代えて、ＳＭＤ（Ｓｕｒｆａｃｅ  Ｍｏｕｎｔ  Ｄｅｖｉｃｅ）構造のＬＥＤモジュールを用いても構わない。ＳＭＤ構造のＬＥＤモジュールは、樹脂製のパッケージ（容器）の凹部の中にＬＥＤチップ（発光素子）を実装して当該凹部内に封止部材（蛍光体含有樹脂）を封入したパッケージ型のＬＥＤ素子（ＳＭＤ型ＬＥＤ素子）を１個又は複数個、実装基板に実装した構成である。
【０１３９】
また、上記各実施の形態では、光源部１１１の光源としてＬＥＤを例示したが、これに限らない。例えば、光源部１１１の光源としては、半導体レーザ等の半導体発光素子、又は、有機ＥＬ（Ｅｌｅｃｔｒｏ  Ｌｕｍｉｎｅｓｃｅｎｃｅ）や無機ＥＬ等、ＬＥＤ以外の固体発光素子を用いてもよいし、蛍光ランプや高輝度ランプ等の既存のランプを用いてもよい。
【０１４０】
その他、上記各実施の形態に対して当業者が思いつく各種変形を施して得られる形態や、本発明の趣旨を逸脱しない範囲で上記各実施の形態における構成要素及び機能を任意に組み合わせることで実現される形態も本発明に含まれる。
【符号の説明】
【０１４１】
１、１Ｘ、１Ｙ  照明器具
２  天井
２ａ  開口部
１００、１００Ｘ、１００Ｙ  灯具ユニット
１０１  赤外線通信モジュール
１１０  器具本体
１１１  光源部
１２０  枠体部
１２２  回転板（姿勢変更部材）
１２２ａ１  スリット
１２３  取付バネ（バネ部材）
１２０ａ  貫通孔
【図１】
2019145289.tif 000003
【図２】
2019145289.tif 000004
【図３】
2019145289.tif 000005
【図４】
2019145289.tif 000006
【図５】
2019145289.tif 000007
【図６】
2019145289.tif 000008
【図７】
2019145289.tif 000009
【図８】
2019145289.tif 000010
【図９】
2019145289.tif 000011
【図１０】
2019145289.tif 000012
【図１１】
2019145289.tif 000013